(57)【特許請求の範囲】
【請求項１】
被照射面へ光を照射し且つ該光を主走査方向へ主走査し、該光の照射方向に沿って移動可能に支持部に支持された照射部と、
前記照射部の前記主走査方向の一端に接触して前記照射部を前記主走査方向に位置決めし、前記照射部の前記照射方向に沿った移動に伴って副走査方向に沿った軸周りに前記支持部に対して揺動する位置決め部材と、
を備える光照射装置。
【請求項２】
前記照射部の前記照射方向に沿った移動に伴って前記位置決め部材が前記軸周りに揺動するように、前記照射部と前記位置決め部材とを接触状態で保持する保持部、
を備える請求項１に記載の光照射装置。
【請求項３】
前記位置決め部材と一体に設けられ、前記照射部に対して前記照射方向とは反対側で接触する接触部と、
前記接触部を前記照射部に向けて付勢する付勢部材と、
を備える請求項１又は２に記載の光照射装置。
【請求項４】
前記照射部は、前記照射部に対する前記照射方向側に設けられた照射方向位置決め部に接触することで前記照射方向に位置決めされ、
前記付勢部材は、前記接触部を介して前記照射部を前記照射方向位置決め部に向けて付勢する請求項３に記載の光照射装置。
【請求項５】
前記照射部が前記照射方向に位置決めされた状態において、前記位置決め部材における前記一端に接触する接触部位は、前記位置決め部材における揺動軸と、前記照射方向における高さが同じである請求項１〜４のいずれか１項に記載の光照射装置。
【請求項６】
前記位置決め部材における前記照射部の前記一端に接触する接触部位は、副走査方向視にて、円弧状に形成されている請求項１〜５のいずれか１項に記載の光照射装置。
【請求項７】
像保持体と、
前記被照射面としての前記像保持体の表面へ光を照射して潜像を形成する請求項１〜６のいずれか１項に記載の光照射装置と、
を備える画像形成装置。
【発明の詳細な説明】
【技術分野】
【０００１】
本発明は、光照射装置、画像形成装置に関する。
【背景技術】
【０００２】
特許文献１には、配列された複数の感光ドラムと、感光ドラムに対向配置され複数の発光部が配列されて感光ドラムを露光する複数のＬＥＤユニットと、発光部が配列された主方向においてＬＥＤユニットの両側に配置された本体フレームと、を備えた画像形成装置が開示されている。
【先行技術文献】
【特許文献】
【０００３】
【特許文献１】２００９−１５７１４２号公報
【発明の概要】
【発明が解決しようとする課題】
【０００４】
本発明は、照射部を主走査方向に位置決めする位置決め部材が、照射部の照射方向に沿った移動を妨げないようにする。
【課題を解決するための手段】
【０００５】
請求項１の発明は、被照射面へ光を照射し且つ該光を主走査方向へ主走査し、該光の照射方向に沿って移動可能に支持部に支持された照射部と、前記照射部の前記主走査方向の一端に接触して前記照射部を前記主走査方向に位置決めし、前記照射部の前記照射方向に沿った移動に伴って副走査方向に沿った軸周りに前記支持部に対して揺動する位置決め部材と、を備える。
【０００６】
請求項２の発明は、前記照射部の前記照射方向に沿った移動に伴って前記位置決め部材が前記軸周りに揺動するように、前記照射部と前記位置決め部材とを接触状態で保持する保持部、を備える。
【０００７】
請求項３の発明は、前記位置決め部材と一体に設けられ、前記照射部に対して前記照射方向とは反対側で接触する接触部と、前記接触部を前記照射部に向けて付勢する付勢部材と、を備える。
【０００８】
請求項４の発明では、前記照射部は、前記照射部に対する前記照射方向側に設けられた照射方向位置決め部に接触することで前記照射方向に位置決めされ、前記付勢部材は、前記接触部を介して前記照射部を前記照射方向位置決め部に向けて付勢する。
【０００９】
請求項５の発明では、前記照射部が前記照射方向に位置決めされた状態において、前記位置決め部材における前記一端に接触する接触部位は、前記位置決め部材における揺動軸と、前記照射方向における高さが同じである。
【００１０】
請求項６の発明では、前記位置決め部材における前記照射部の前記一端に接触する接触部位は、副走査方向視にて、円弧状に形成されている。
【００１１】
請求項７の発明は、像保持体と、前記被照射面としての前記像保持体の表面へ光を照射して潜像を形成する請求項１〜６のいずれか１項に記載の光照射装置と、を備える。
【発明の効果】
【００１２】
本発明の請求項１の構成によれば、照射部を主走査方向に位置決めする位置決め部材が揺動しない場合に比べ、当該位置決め部材が、照射部の照射方向に沿った移動を妨げないようにできる。
【００１３】
本発明の請求項２の構成によれば、本構成における保持部を有さない場合に比べ、照射部を主走査方向に位置決めする位置決め部材が、照射部の照射方向に沿った移動を妨げないようにできる。
【００１４】
本発明の請求項３の構成によれば、本構成における付勢部材を有さない場合に比べ、照射部を主走査方向に位置決めする位置決め部材が、照射部の照射方向に沿った移動を妨げないようにできる。
【００１５】
本発明の請求項４の構成によれば、照射部を照射方向位置決め部材に向けて付勢する付勢部材が、別途設けられる場合に比べ、部品点数が低減される。
【００１６】
本発明の請求項５の構成によれば、本構成を有さない場合に比べ、位置決め部材の揺動方向に沿って接触部位が照射部に対して位置ずれした場合でも、照射部の主走査方向への位置ずれを低減できる。
【００１７】
本発明の請求項６の構成によれば、接触部位が円弧状でない場合に比べ、照射部の照射方向への移動に伴って照射部と接触部位とが接触する向きが変更された場合において、当該向きがスムーズに変更される。
【００１８】
本発明の請求項７の構成によれば、本構成における光照射装置を有さない場合に比べ、像保持体と照射部との距離が適正距離とならないことに起因する画像不良を抑制できる。
【図面の簡単な説明】
【００１９】
【図１】本実施形態に係る画像形成装置の構成を示す概略図である。
【図２】本実施形態に係るプリントヘッドの構成を示す正断面図である。
【図３】本実施形態に係るプリントヘッド、その支持構造及び感光体モジュールの構成を示す側断面図である。
【図４】本実施形態に係るプリントヘッド、その支持構造及び感光体モジュールの構成を示す側断面図である。
【図５】本実施形態に係るプリントヘッド、その支持構造及び感光体モジュールの構成を示す側断面図である。
【図６】本実施形態に係るプリントヘッド、その支持構造及び感光体モジュールの構成を示す側断面図である。
【図７】本実施形態に係るプリントヘッド及びその支持構造の構成を示す斜視図である。
【図８】本実施形態に係るプリントヘッド及びその支持構造の長手方向一端側の構成を下側から見上げて示す斜視図である。
【図９】本実施形態に係るプリントヘッド及びその支持構造の長手方向一端側の構成を示す斜視図である。
【図１０】本実施形態に係るプリントヘッド及びその支持構造の長手方向一端側の構成を示す側断面図である。
【図１１】本実施形態に係るプリントヘッド及びその支持構造の長手方向一端側の構成を示す側断面図である。
【図１２】本実施形態に係るプリントヘッド及びその支持構造の長手方向他端側の構成を示す斜視図である。
【図１３】本実施形態に係るプリントヘッド及びその支持構造の長手方向他端側の構成を示す側断面図である。
【図１４】本実施形態に係る軸部（揺動軸）及び位置決部の高さと、Ｘ方向の位置ずれと、の関係を説明するための説明図である。
【発明を実施するための形態】
【００２０】
以下に、本発明に係る実施形態の一例を図面に基づき説明する。
【００２１】
（画像形成装置１０の構成）
まず、本実施形態に係る画像形成装置１０の構成を説明する。図１は、本実施形態に係る画像形成装置１０の構成を示す概略図である。
【００２２】
画像形成装置１０は、図１に示されるように、各構成部品が内部に収容される画像形成装置本体（装置筐体）１１を備えている。画像形成装置本体１１の内部には、用紙等の記録媒体Ｐが収容される記録媒体収容部１２と、記録媒体Ｐに画像を形成する画像形成部１４と、記録媒体収容部１２から画像形成部１４へ記録媒体Ｐを搬送する搬送部１６と、画像形成装置１０の各部の動作を制御する制御部２０と、が設けられている。また、画像形成装置本体１１の上部には、画像形成部１４によって画像が形成された記録媒体Ｐが排出される記録媒体排出部１８が設けられている。
【００２３】
画像形成部１４は、イエロー（Ｙ）、マゼンタ（Ｍ）、シアン（Ｃ）、ブラック（Ｋ）の各色のトナー画像を形成する画像形成ユニット２２Ｙ、２２Ｍ、２２Ｃ、２２Ｋ（以下、２２Ｙ〜２２Ｋと示す）と、画像形成ユニット２２Ｙ〜２２Ｋで形成されたトナー画像が転写される中間転写ベルト２４と、画像形成ユニット２２Ｙ〜２２Ｋで形成されたトナー画像を中間転写ベルト２４に転写する第１転写部材としての第１転写ロール２６と、第１転写ロール２６によって中間転写ベルト２４に転写されたトナー画像を中間転写ベルト２４から記録媒体Ｐへ転写する第２転写部材としての第２転写ロール２８と、第２転写ロール２８によって中間転写ベルト２４から記録媒体Ｐへ転写されたトナー画像を記録媒体Ｐに定着させる定着装置３０と、を備えている。
【００２４】
画像形成ユニット２２Ｙ〜２２Ｋは、略水平方向に沿って並んで配置されている。また、画像形成ユニット２２Ｙ〜２２Ｋは、一方向（図１における矢印Ａ方向）へ回転する感光体３２（像保持体の一例）をそれぞれ有している。
【００２５】
各感光体３２の周囲には、感光体３２の回転方向上流側から順に、感光体３２を帯電させる帯電装置３４と、帯電装置３４によって帯電した感光体３２を露光して感光体３２に静電潜像を形成する露光装置５９（光照射装置の一例）と、露光装置５９によって感光体３２に形成された静電潜像を現像する現像装置３８と、中間転写ベルト２４へのトナー画像の転写後において感光体３２に残留する現像剤を除去する除去装置４０と、が設けられている。
【００２６】
露光装置５９は、感光体３２の下方に配置されており、プリントヘッド６０（照射部の一例）と、プリントヘッド６０を支持する支持構造７０（図３参照）と、を有している。プリントヘッド６０は、下方から感光体３２の表面（被照射面の一例）に対して、制御部２０から送られた画像情報に基づき、露光光を照射して感光体３２に静電潜像を形成するようになっている。制御部２０から送られる画像情報としては、例えば、外部装置で生成されその外部装置から制御部２０が取得する画像情報や、画像形成装置１０において原稿等の画像を読み取ることで生成される画像情報などがある。なお、プリントヘッド６０及びプリントヘッド６０の支持構造７０の具体的な構成については、後述する。また、図２において、プリントヘッド６０からの露光光を符号Ｌにて示している。
【００２７】
中間転写ベルト２４は、図１に示すように、環状に形成されると共に、画像形成ユニット２２Ｙ〜２２Ｋの上側に配置されている。中間転写ベルト２４の内周側に、中間転写ベルト２４が巻き掛けられる巻掛ロール４２、４３、４４、４５が設けられている。中間転写ベルト２４は、例えば、巻掛ロール４５が回転駆動することによって、感光体３２と接触しながら一方向（図１における矢印Ｂ方向）へ循環移動（回転）するようになっている。なお、巻掛ロール４２は、中間転写ベルト２４を挟んで第２転写ロール２８に対向する対向ロールとされている。
【００２８】
また、中間転写ベルト２４の外周側には、中間転写ベルト２４の外周面に接触して、記録媒体Ｐへのトナー画像の転写後において中間転写ベルト２４に残留する現像剤を除去する除去装置２５が、中間転写ベルト２４を挟んで巻掛ロール４５に対向して設けられている。
【００２９】
第１転写ロール２６は、中間転写ベルト２４を挟んで感光体３２に対向している。第１転写ロール２６と感光体３２との間が、感光体３２に形成されたトナー画像が中間転写ベルト２４に転写される第１転写位置とされている。
【００３０】
第２転写ロール２８は、中間転写ベルト２４を挟んで巻掛ロール４２と対向している。第２転写ロール２８と巻掛ロール４２との間が、中間転写ベルト２４に転写されたトナー画像が記録媒体Ｐに転写される第２転写位置Ｔ２とされている。
【００３１】
搬送部１６は、記録媒体収容部１２に収容された記録媒体Ｐを送り出す送出ロール４６と、送出ロール４６に送り出された記録媒体Ｐが搬送される搬送路４８と、搬送路４８に沿って配置され送出ロール４６によって送り出された記録媒体Ｐを第２転写位置Ｔ２へ搬送する複数の搬送ロール５０と、を備えて構成されている。
【００３２】
定着装置３０は、第２転写位置Ｔ２から搬送された記録媒体Ｐに対し、第２転写位置Ｔ２で転写されたトナー画像を定着させる。定着装置３０よりも搬送方向下流側には、トナー画像が定着された記録媒体Ｐを記録媒体排出部１８へ排出する排出ロール５２が設けられている。
【００３３】
（画像形成動作）
次に、画像形成装置１０における、記録媒体Ｐへ画像を形成する画像形成動作について説明する。
【００３４】
画像形成装置１０では、記録媒体収容部１２から送出ロール４６によって送り出された記録媒体Ｐが、複数の搬送ロール５０によって第２転写位置Ｔ２へ送り込まれる。
【００３５】
一方、画像形成ユニット２２Ｙ〜２２Ｋでは、帯電装置３４によって帯電した感光体３２が、プリントヘッド６０によって露光されて感光体３２に静電潜像が形成される。その静電潜像が現像装置３８によって現像されて感光体３２にトナー画像が形成される。画像形成ユニット２２Ｙ〜２２Ｋで形成された各色のトナー画像は、第１転写位置にて中間転写ベルト２４に重ねられて、カラー画像が形成される。そして、中間転写ベルト２４に形成されたカラー画像が、第２転写位置Ｔ２にて記録媒体Ｐへ転写される。
【００３６】
トナー画像が転写された記録媒体Ｐは、定着装置３０へ搬送され、転写されたトナー画像が定着装置３０により定着される。トナー画像が定着された記録媒体Ｐは、排出ロール５２によって記録媒体排出部１８に排出される。以上のように、一連の画像形成動作が行われる。
【００３７】
（画像形成装置本体１１）
次に、画像形成装置本体１１の構成を説明する。なお、図中の矢印Ｚ方向は、プリントヘッド６０における光の照射方向を示し、図中の矢印Ｘ方向は、プリントヘッド６０の主走査方向（感光体３２の軸方向）を示し、図中の矢印Ｙ方向は、プリントヘッド６０の副走査方向を示している。
画像形成装置本体１１は、図３〜図６に示されるように、フロントフレーム１３とリアフレーム１５とを有している。フロントフレーム１３には、後述の感光体モジュール１００を位置決めするための位置決めピン１３Ａが、装置前方（図３の左側）に突出するように設けられている。また、フロントフレーム１３には、図１３に示されるように、後述のネジ７３がねじ込まれるネジ孔１３Ｂが形成されている。
【００３８】
リアフレーム１５には、図３に示されるように、カップリング部材１７が回転可能に設けられている。カップリング部材１７は、軸部１７Ａと、駆動モータ（図示省略）から駆動力が伝達されるギヤ１７Ｂと、感光体３２側に設けられた後述の被支持部材１３０（カップリング）と軸方向に噛み合うカップリング部１７Ｃと、を有している。また、リアフレーム１５の下部には、後述の支持体９２の複数の位置決めピン９２Ｆが差し込まれる差込孔１５Ｅが複数形成されている。
【００３９】
（感光体モジュール１００）
次に、感光体モジュール１００の構成を説明する。
本実施形態では、各画像形成ユニット２２Ｙ〜２２Ｋにおいて、感光体３２、帯電装置３４及び除去装置４０は、一体化された感光体モジュール１００（図３参照）として構成されている。この感光体モジュール１００は、図３〜図６に示されるように、ハウジング１１０と、感光体３２の軸方向両端部に設けられた被支持部材１３０、１４０と、ハウジング１１０に設けられ被支持部材１３０、１４０を支持する支持体１５０、１６０と、を有している。
【００４０】
ハウジング１１０は、感光体３２の上側に配置された上壁１１２と、感光体３２の軸方向一端側及び他端側で上壁１１２から下方へ形成された側壁１１４、１２０と、を有している。
【００４１】
側壁１２０は、上壁１１２から感光体３２の軸方向他端側（図３における左端側）で上方へ突出する突出部１２２を有している。突出部１２２には、フロントフレーム１３の位置決めピン１３ＡがＸ方向に差し込まれる差込孔１２４が形成されている。
【００４２】
また、側壁１２０の下部には、プリントヘッド６０がＸ方向に進入する可能な開口１２６が形成されている。側壁１２０における開口１２６の下側には、開口１２６に進入するプリントヘッド６０の軸方向他端側（図３における左端側）を上方へ徐々に押し上げるための押上部１２８が設けられている。押上部１２８は、下方へ傾斜しながらリア側（図３における右側）に延び出ている。この押上部１２８には、プリントヘッド６０の後述の被押上面７５Ａに接触する傾斜面１２９が形成されている。
【００４３】
被支持部材１３０は、具体的には、リアフレーム１５に配置されたカップリング部材１７のカップリング部１７ＣとＸ方向に断続されるカップリングであり、感光体３２の軸方向一端側（図３における右端側）に固定されている。被支持部材１３０には、カップリング部材１７が挿抜される挿抜孔１３２が感光体３２の中心軸線に沿って形成されている。
【００４４】
支持体１５０は、側壁１１４に取り付けられると共に、側壁１１４から被支持部材１３０に向かってフロント側（図３における左側）に突出している。この支持体１５０は、被支持部材１３０を回転可能に支持している。これにより、支持体１５０は、感光体３２の軸方向一端側を回転可能に支持している。支持体１５０には、カップリング部材１７が挿抜される挿抜孔１５２が感光体３２の中心軸線に沿って形成されている。
【００４５】
また、支持体１５０の下端部には、プリントヘッド６０の長手方向一端部（図３における右端部）に対するＺ方向の位置決め（位置出し）の基準となる基準面１５４（照射方向位置決め部の一例）が形成されている。基準面１５４は下側を向いている。基準面１５４に対する感光体モジュール１００の装着方向（図３における右側）には、傾斜面１５６が形成されている。傾斜面１５６は、下側を向くと共に、感光体モジュール１００の装着方向（図３における右側）にいくにつれて徐々に上り勾配となっている。
【００４６】
被支持部材１４０は、感光体３２の軸方向他端側（図３における左端側）に固定されている。被支持部材１４０には、支持体１６０の後述の突出部１６２が挿入される挿入孔１４２が感光体３２の中心軸線に沿って形成されている。
【００４７】
支持体１６０は、側壁１２０に取り付けられると共に、リア側（図３における右側）に突出する突出部１６２を有している。突出部１６２が被支持部材１４０の挿入孔１４２に挿入されて、突出部１６２が被支持部材１４０を回転可能に支持することで、支持体１６０は感光体３２の軸方向他端側を回転可能に支持している。
【００４８】
支持体１６０の下端部には、プリントヘッド６０の長手方向他端部（図３における左端部）に対するＺ方向の位置決め（位置出し）の基準となる基準面１６４が形成されている。基準面１６４は、下側を向いている。基準面１６４に対する感光体モジュール１００の装着方向（右側）には、傾斜面１６６が形成されている。傾斜面１６６は、下側を向くと共に、感光体モジュール１００の装着方向（図３における右側）にいくにつれて徐々に上り勾配となっている。
【００４９】
さらに、感光体モジュール１００は、プリントヘッド６０の長手方向他端部（図３における左端部）において、プリントヘッド６０をＹ方向に位置決めするＹ方向位置決部１７０（図１２参照）を有している。Ｙ方向位置決部１７０には、プリントヘッド６０の長手方向他端部（図３における左端部）に対するＹ方向の位置決め（位置出し）の基準となる基準面１７２（図１２参照）を有している。
【００５０】
そして、この感光体モジュール１００は、側壁１２０の差込孔１２４に対して、フロントフレーム１３の位置決めピン１３Ａが抜き差しされ、且つ被支持部材１３０の挿抜孔１３２及び支持体１５０の挿抜孔１５２に対してカップリング部材１７が抜き差しされることで、画像形成装置本体１１に対して感光体３２の軸方向へ着脱可能に構成されている。具体的には、感光体モジュール１００は、画像形成装置本体１１に対して、図３における右方向（装着方向）へ装着され、図３における左方向（取外方向）へ取り外されるようになっている。これにより、感光体モジュール１００は、感光体３２の寿命等に応じて交換されるようになっている。
【００５１】
なお、感光体モジュール１００としては、帯電装置３４及び除去装置４０を含まない感光体３２のみの構成を採用してもよいし、帯電装置３４及び除去装置４０に加えさらに現像装置３８を一体化した構成を採用してもよい。すなわち、感光体モジュール１００としては、少なくとも感光体３２を含んでいればよい。ただし、本実施形態では、感光体モジュール１００とプリントヘッド６０とが別体に構成されていることを前提としている。
【００５２】
（プリントヘッド６０の構成）
次に、プリントヘッド６０の構成を説明する。図２は、プリントヘッド６０の構成を示す概略断面図である。
【００５３】
プリントヘッド６０は、図２に示されるように、ＬＥＤアレイ６２と、ＬＥＤアレイ６２が一方の面（図２における上面）６４Ａに実装された回路基板６４と、レンズアレイ６６と、回路基板６４の他方の面（図２における下面）を支持する支持体としてのハウジング６３と、レンズアレイ６６を支持するホルダ６８（筐体）と、を有している。
【００５４】
ＬＥＤアレイ６２は、発光素子としてのＬＥＤ素子６２Ａ（発光ダイオード）が、Ｘ方向に沿って複数配置されて構成されている。具体的には、複数のＬＥＤ素子６２Ａは、例えば、Ｘ方向に沿って千鳥状に配置されている。
【００５５】
回路基板６４は、ＬＥＤアレイ６２を駆動する駆動回路（図示省略）を有している。この駆動回路（図示省略）と、ＬＥＤアレイ６２と電気的に接続されており、駆動回路（図示省略）からの駆動信号によって、ＬＥＤアレイ６２が発光するようになっている。
【００５６】
レンズアレイ６６は、ＬＥＤアレイ６２から出射した光を感光体３２上に結像させるロッドレンズ６６Ａが、Ｘ方向に沿って複数配置されて構成されている。具体的には、ロッドレンズ６６Ａは、ＬＥＤ素子６２Ａの配置に対応して、例えば、Ｘ方向に沿って千鳥状に配置されている。
【００５７】
ハウジング６３は、Ｘ方向に沿って長さを有し、樹脂材料又は金属材料で形成されたブロック（又は板状部材）で構成されている。また、ハウジング６３は、例えば、Ｘ方向視にて、Ｚ方向が長く、Ｙ方向に短くされた矩形形状をしている。
【００５８】
ホルダ６８は、ＬＥＤアレイ６２とレンズアレイ６６とが対向するように、レンズアレイ６６を支持している。具体的には、ホルダ６８は、下部がハウジング６３に接合され、上部がレンズアレイ６６に接合されている。また、ホルダ６８は、その内壁、回路基板６４及びレンズアレイ６６で囲まれた密閉空間を形成し、その空間内への外部から塵埃の侵入が抑制されている。また、ホルダ６８の両側面には、レンズアレイ６６の表面を清掃する清掃部材６７（図１参照）を案内するための案内溝６９が形成されている。
【００５９】
ホルダ６８の長手方向一端部（図３における右端部）には、感光体モジュール１００の基準面１５４に突き当たる突当面６８Ａが形成されている。突当面６８Ａは上方を向く面で構成されている。突当面６８Ａに対する感光体モジュール１００の取外方向側（図３における左側）には、傾斜面６８Ｂが形成されている。傾斜面６８Ｂは、上側を向くと共に、感光体モジュール１００の取外方向（図３における左側）にいくにつれて徐々に下り勾配となっている。
【００６０】
ホルダ６８の長手方向他端部（図３における左端部）には、感光体モジュール１００の基準面１６４に突き当たる突当面６８Ｃが形成されている。突当面６８Ｃは上方を向く面で構成されている。突当面６８Ｃに対する感光体モジュール１００の取外方向側（図３における左側）には、傾斜面６８Ｄが形成されている。傾斜面６８Ｄは、上側を向くと共に、感光体モジュール１００の取外方向（図３における左側）にいくにつれて徐々に下り勾配となっている。
【００６１】
本実施形態のプリントヘッド６０では、Ｘ方向に沿って配置された複数のＬＥＤ素子６２Ａが順次発光すると共に、ロッドレンズ６６ＡがＬＥＤアレイ６２から出射した光を感光体３２上に結像させる。これにより、プリントヘッド６０からの光が、感光体３２の表面（被照射面の一例）に対してＸ方向（主走査方向）へ主走査されるようになっている。
【００６２】
（プリントヘッド６０の支持構造）
次に、プリントヘッド６０を支持する支持構造７０について説明する。
【００６３】
支持構造７０は、図７に示されるように、プリントヘッド６０を支持する支持フレーム７２と、プリントヘッド６０のＸ方向の一端に接触してプリントヘッド６０をＸ方向に位置決めする位置決部材８０（位置決め部材の一例）と、プリントヘッド６０と位置決部材８０とを接触状態に保持する保持バネ７４（保持部の一例、図８及び図１０参照）と、を有している。
【００６４】
さらに、支持構造７０は、支持フレーム７２と位置決部材８０とを揺動可能に支持する支持機構９０と、プリントヘッド６０を照射方向（Ｚ方向、感光体３２側）に向けて付勢するためのコイルバネ７６（付勢部材の一例）及びコイルバネ７８と、を有している。
【００６５】
（支持フレーム７２）
支持フレーム７２は、図８に示されるように、プリントヘッド６０の下側に配置された底板７２Ａと、底板７２ＡのＹ方向両端から立設された側板７２Ｂ、７２Ｃと、を有している。支持フレーム７２は、この底板７２Ａ及び側板７２Ｂ、７２Ｃによって、Ｘ方向視にて、コの字状（Ｕの字状）に形成されている。すなわち、支持フレーム７２は、図７に示されるように、照射方向（Ｚ方向、感光体３２側）が開放されている。さらに、支持フレーム７２は、金属板等の導電性を有する導電性材料で構成されている。
【００６６】
また、支持フレーム７２の底板７２Ａ及び側板７２Ｂ、７２Ｃは、プリントヘッド６０（Ｘ方向）に沿って長さを有している。側板７２Ｂ、７２Ｃの長手方向一端部（図７における右端部）には、支持フレーム７２を揺動可能に支持するための軸部９４が挿し通される通し孔７２ＤがＹ方向に沿って形成されている。側板７２Ｂの長手方向一端部（図７における右端部）における通し孔７２Ｄよりも長手方向中央側には、後述のＹ方向位置決部９２Ｄが入り込む切欠７２Ｅが形成されている。
【００６７】
また、側壁７２Ｃの長手方向一端部（図７における右端部）には、プリントヘッド６０の上方への移動を制限する制限部としてのストッパー７２Ｋが設けられている。ストッパー７２Ｋは、側壁７２Ｃの上端部から側壁７２Ｂ側へ突出するように形成されている。このストッパー７２Ｋは、感光体モジュール１００が画像形成装置本体１１から取り外された状態（ホルダ６８の突当面６８Ａが感光体モジュール１００基準面１５４に突き当たっていない状態、図３に示す状態）において、プリントヘッド６０のホルダ６８における長手方向一端側の上面に当たることで、プリントヘッド６０の上方への移動を制限するようになっている。
【００６８】
底板７２Ａの長手方向他端部（図７における左端部）には、図１２及び図１３に示されるように、支持フレーム７２を画像形成装置本体１１のフロントフレーム１３に固定するための被固定部７２Ｆが形成されている。被固定部７２Ｆは、底板７２Ａの長手方向他端（図１２及び図１３における左端）から下方へ延びている。被固定部７２Ｆには、フロントフレーム１３のネジ孔１３Ｂにねじ込まれるネジ７３が挿し通される通し孔７２Ｈが形成されている。
【００６９】
また、底板７２Ａの長手方向他端部（図７における左端部）には、プリントヘッド６０の上方への移動を制限する制限部としてのストッパー７１が設けられている。このストッパー７１は、感光体モジュール１００が画像形成装置本体１１から取り外された状態（ホルダ６８の突当面６８Ｃが感光体モジュール１００基準面１６４に突き当たっていない状態、図３に示す状態）において、プリントヘッド６０のホルダ６８における長手方向他端側の上面に当たることで、プリントヘッド６０の上方への移動を制限するようになっている。
【００７０】
また、側板７２Ｃの長手方向他端部（図７における左端部）に対する側壁７２Ｂとは反対側には、図１２に示されるように、感光体モジュール１００の画像形成装置本体１１への装着動作に伴い、感光体モジュール１００の押上部１２８（図３参照）によって押し上げられる被押上部材７５が設けられている。被押上部材７５には、押上部１２８の傾斜面１２９に接触し、傾斜面１２９によって押し上げられる被押上面７５Ａが形成されている。被押上面７５Ａは、傾斜面１２９と同様に傾斜している。
【００７１】
（位置決部材８０（位置決め部材の一例））
位置決部材８０は、図１０に示されるように、支持機構９０に揺動可能に支持される本体８１（被支持部）と、プリントヘッド６０のホルダ６８におけるＸ方向の一端面６８Ｋに接触してプリントヘッド６０をＸ方向に位置決めする位置決部８２（接触部位の一例）と、プリントヘッド６０のホルダ６８の底面６８Ｈに接触する接触部８４と、を有している。
【００７２】
本体８１には、位置決部材８０を揺動可能に支持するための後述の軸部９４が挿し通される通し孔８５が形成されている。本体８１は、プリントヘッド６０のＸ方向の一端面６８Ｋに対向する対向壁８６を有している。
【００７３】
位置決部８２は、対向壁８６のプリントヘッド６０側の側面に、プリントヘッド６０側へ凸状に形成されている。具体的には、位置決部８２は、Ｙ方向視にて円弧状に形成されている。
【００７４】
位置決部材８０における対向壁８６のＸ方向両側には、保持バネ７４の一端部及び他端部が差し込まれる差込孔８７、８８が形成されている。差込孔８７、８８に保持バネ７４の一端部及び他端部（後述の挟込板７４Ｂ）が差し込まれることで、プリントヘッド６０のホルダ６８の側壁６８Ｅと対向壁８６とを挟むように、保持バネ７４が装着されるようになっている。すなわち、対向壁８６及び差込孔８７、８８が、保持バネ７４が装着される装着部として機能するようになっている。
【００７５】
接触部８４は、対向壁８６に対する通し孔８５とは反対側（図１０における左側）に配置されている。この接触部８４は、プリントヘッド６０側（図１０における上方）に凸状に突出する円柱状に形成されている。接触部８４の下側には、接触部８４よりも拡径された円盤状のフランジ部８３が形成されている。さらに、フランジ部８３の下側には、後述のコイルバネ７６の内部に差し込まれる円柱状の差込部８９が形成されている。
【００７６】
（保持バネ７４（保持部の一例））
保持バネ７４は、背板７４Ａと、プリントヘッド６０の側壁６８Ｅと対向壁８６を挟み込む一対の挟込板７４Ｂと、を有している。保持バネ７４では、一対の挟込板７４Ｂの間が広げられて弾性変化された状態で、一対の挟込板７４Ｂがホルダ６８の側壁６８Ｅと対向壁８６とを挟むことで、プリントヘッド６０の側壁６８Ｅと対向壁８６が接触した接触状態が維持されるようになっている。
【００７７】
（支持機構９０）
支持機構９０は、図９に示されるように、画像形成装置本体１１に対して位置決め（固定）される支持体９２と、支持フレーム７２及び位置決部材８０を揺動可能に支持するための軸部９４と、軸部９４を支持体９２に押し付けて固定する押付部材９６と、を有している。
【００７８】
支持体９２は、位置決部材８０及び支持フレーム７２をＹ方向に挟むように設けられた側壁９２Ａ、９２Ｂと、支持フレーム７２の長手方向一端側（図９及び図１０の右端側）に配置された側壁９２Ｃと、を有している。側壁９２Ａ、９２Ｂには、上方に開口し且つ上側から軸部９４が差し入れられる凹部（図示省略）が形成されている。
【００７９】
また、支持体９２は、側壁９２Ａから側壁９２Ｂ側に突出するように設けられ、プリントヘッド６０をＹ方向に位置決めするＹ方向位置決部９２Ｄを有している。このＹ方向位置決部９２Ｄには、プリントヘッド６０の長手方向一端部に対するＹ方向の位置決め（位置出し）の基準となる基準面９２Ｅが形成されている。
【００８０】
側壁９２Ｃには、リアフレーム１５の差込孔１５Ｅ（図３参照）に差し込まれることで、リアフレーム１５に対して支持体９２を位置決めする複数の位置決めピン９２Ｆがリアフレーム１５側（図９における右側）に突出されている。
【００８１】
押付部材９６は、平面視にてコの字状（Ｕの字状）且つ板状に形成されている。この押付部材９６は、軸部９４を押し付けることで支持体９２に軸部９４を固定する機能を有している。さらに、押付部材９６は、金属板等の導電性を有する材料で構成されている。押付部材９６には、リアフレーム１５側（図３参照）に向けて斜め上方へ突出し、リアフレーム１５に接触する接触部９６Ａ（接点）が形成されている。
【００８２】
軸部９４は、Ｙ方向を軸方向とする円柱状に形成されている。この軸部９４は、支持フレーム７２の側板７２Ｂ、７２Ｃの通し孔７２Ｄ、及び位置決部材８０の通し孔８５に対して挿し通されると共に、支持体９２の側壁９２Ａ、９２Ｂの前記凹部（図示省略）差し入れられて、押付部材９６に押し付けられることで、前記凹部で支持体９２に対して固定されている。これにより、軸部９４は、支持フレーム７２及び位置決部材８０を支持体９２に対して揺動可能に支持している。なお、軸部９４の両端側には、軸部９４がその軸方向に支持体９２から脱落しないように抜け止め９５が設けられている。
【００８３】
さらに、軸部９４は、金属棒等の導電性を有する導電性材料で構成されている。この軸部９４は、同じく導電性材料で構成された支持フレーム７２及び押付部材９６に対して接触している。これにより、このプリントヘッド６０は、支持フレーム７２、軸部９４、押付部材９６を通じて、リアフレーム１５に対して接地（アース）されている。
【００８４】
（コイルバネ７６（付勢部材の一例））
コイルバネ７６は、図１０に示されるように、Ｚ方向に伸縮するように、軸方向一端部（下端部）が支持フレーム７２の底板７２Ａの長手方向一端部（図３における右端部）が接触している。このコイルバネ７６の軸方向他端部（上端部）は、その内部に、位置決部材８０の差込部８９が差し込まれることで位置決部材８０に保持されている。コイルバネ７６の軸方向他端部は、フランジ部８３に接触している。これにより、位置決部材８０は、コイルバネ７６によって、接触部８４がプリントヘッド６０に付勢されている。さらに、接触部８４を介してプリントヘッド６０が、コイルバネ７６によって、感光体モジュール１００のハウジング１１０の基準面１５４に向けて付勢されている。
【００８５】
（コイルバネ７８及び接触部材７９）
コイルバネ７８は、図１２及び図１３に示されるように、Ｚ方向に伸縮するように、軸方向一端部（下端部）が支持フレーム７２の底板７２Ａの長手方向他端部（図３における左端部）が接触している。このコイルバネ７６の軸方向他端部（上端部）には、プリントヘッド６０（ホルダ６８）の底面に接触する接触部材７９が設けられている。
【００８６】
接触部材７９は、上方へ突出し且つプリントヘッド６０（ホルダ６８）の底面に接触する円柱状の接触部７９Ａと、接触部７９Ａの下側で接触部７９Ａよりも拡径された円盤状のフランジ部７９Ｂと、フランジ部７９Ｂの下側でコイルバネ７８の上端部の内部に差し込まれる円柱状の差込部７９Ｃと、を有している。この差込部７９Ｃが、コイルバネ７８の上端部の内部に差し込まれた状態で、コイルバネ７６の上端部は、フランジ部７９Ｂに接触している。これにより、コイルバネ７８は、接触部材７９の接触部７９Ａを介してプリントヘッド６０を、感光体モジュール１００のハウジング１１０の基準面１６４に向けて付勢している。
【００８７】
（プリントヘッド６０の位置決め）
プリントヘッド６０のＹ方向位置決めは、以下のように行われる。
【００８８】
支持体９２のＹ方向位置決部９２Ｄの前述した基準面９２Ｅが、図９に示されるように、プリントヘッド６０のホルダ６８の長手方向一端部（図７における右端部）の側面６８Ｆに当たると共に、感光体モジュール１００の前述した基準面１７２が、図１２に示されるように、プリントヘッド６０のホルダ６８の長手方向他端部（図７における右端部）の側面６８Ｇに当たることで、プリントヘッド６０は、Ｙ方向に位置決めされるようになっている。
【００８９】
なお、基準面９２Ｅ及び基準面１７２に対して、プリントヘッド６０のホルダ６８を挟んで対向する位置のそれぞれには、ホルダ６８を基準面９２Ｅ及び基準面１７２に付勢する板バネ等の付勢部材（図示省略）が設けられている。
【００９０】
プリントヘッド６０のＸ方向位置決めは、以下のように行われる。
【００９１】
位置決部材８０の位置決部８２が、図１０に示されるように、プリントヘッド６０のホルダ６８におけるＸ方向一端面６８Ｋに当たることでプリントヘッド６０がＸ方向に位置決めされるようになっている。なお、ホルダ６８の側壁６８Ｅと、位置決部材８０の対向壁８６とが、保持バネ７４によって挟持されることで、位置決部８２と一端面６８Ｋとの接触状態が維持されている。
【００９２】
プリントヘッド６０のＺ方向位置決めは、以下のように行われる。
【００９３】
感光体モジュール１００が画像形成装置本体１１に装着された状態（図６に示す状態）において、コイルバネ７６及びコイルバネ７８によって上方へ付勢されたプリントヘッド６０の突当面６８Ａ及び突当面６８Ｃに対し、感光体モジュール１００の基準面１５４及び基準面１６４がそれぞれ当たることにより、プリントヘッド６０がＺ方向に位置決めされる。
【００９４】
なお、感光体モジュール１００が画像形成装置本体１１から取り外された状態（図３に示す状態）では、コイルバネ７６及びコイルバネ７８によって上方へ付勢されたプリントヘッド６０は、支持フレーム７２のストッパー７２Ｋ及びストッパー７１に当たることによって、その制限位置を超えてプリントヘッド６０が上方へ移動することが制限されている。このように、プリントヘッド６０は、Ｚ方向に位置決めされるＸ方向位置決位置と、上記の制限位置と、の間を上下動（Ｚ方向に沿って移動）するようになっている。
【００９５】
（支持フレーム７２の揺動）
支持フレーム７２は、前述のように軸部９４に支持されることで、軸部９４を揺動軸として上下方向に揺動可能となっている。支持フレーム７２は、具体的には、感光体３２の軸方向（Ｘ方向）に沿った状態で感光体３２に正対する正対位置（図５及び図６参照）と、支持フレーム７２の長手方向他端部（図３における左端部）が下がって感光体３２から退避する退避位置（図３参照）と、の間を揺動可能となっている。
【００９６】
本実施形態では、感光体モジュール１００が画像形成装置本体１１に装着されることで、押上部１２８の傾斜面１２９がプリントヘッド６０の被押上面７５Ａを押し上げて、支持フレーム７２が退避位置から正対位置へ揺動するようになっている。
【００９７】
また、感光体モジュール１００が画像形成装置本体１１から取り外されることで、押上部１２８の傾斜面１２９がプリントヘッド６０の被押上面７５Ａから退避し、支持フレーム７２の自重により、支持フレーム７２が正対位置から退避位置へ揺動するようになっている。
【００９８】
さらに、支持フレーム７２は、退避位置において、支持フレーム７２の底板７２Ａが、フロントフレーム１３に当たって退避位置を超えて下方へ揺動することが制限されている。なお、フロントフレーム１３と被固定部７２Ｆとの間には、図１３等では図示していないが、支持フレーム７２が下方へ揺動可能なガタ（隙間）が形成されている。
【００９９】
（位置決部材８０の揺動）
位置決部材８０も、前述のように軸部９４に支持されることで、軸部９４を揺動軸として上下方向に揺動可能となっている。この位置決部材８０は、支持フレーム７２と独立して揺動するようになっている。すなわち、位置決部材８０は、支持フレーム７２が揺動していない静止状態であっても、単独で揺動することができるようになっている。
【０１００】
また、位置決部材８０は、接触部８４がコイルバネ７６によってプリントヘッド６０に押し付けられると共に、保持バネ７４によってプリントヘッド６０の側壁６８Ｅと対向壁８６とが挟まれているため、プリントヘッド６０の上下動（照射方向（Ｚ方向）に沿った移動）に追従して揺動するようになっている。従って、支持フレーム７２が正対位置に位置する場合において、プリントヘッド６０のＸ方向位置決位置（図６に示す位置）と制限位置（図３に示す位置）との間の上下動に伴って、位置決部材８０が、下方位置（図１０に示す位置）と上方位置（図１１に示す位置）の間で上下に揺動するようになっている。
【０１０１】
なお、位置決部材８０が、下方位置（図１０に示す位置）と上方位置（図１１に示す位置）の間で上下に揺動することで、位置決部８２がホルダ６８におけるＸ方向の一端面６８Ｋに対して接触する向きが変更されるようになっている。また、位置決部材８０が下方位置に位置する状態において、軸部９４（揺動軸）と位置決部８２との高さが同じになるように、位置決部８２の高さ（位置）が設定されている。
【０１０２】
（本実施形態に係る作用）
次に、本実施形態に係る作用を説明する。ここでは、画像形成装置本体１１から取り外された状態の感光体モジュール１００が、画像形成装置本体１１に装着される際の作用について説明する。
【０１０３】
なお、感光体モジュール１００が画像形成装置本体１１から取り外された状態では、図３に示されるように、支持フレーム７２は退避位置に位置し、プリントヘッド６０は制限位置に位置し、位置決部材８０は上方位置に位置する。
【０１０４】
感光体モジュール１００は、図３に示されるように、フロントフレーム１３側からリアフレーム１５側に向け、Ｘ方向に沿って画像形成装置本体１１に対して装着される。すると、まず、図４に示されるように、感光体モジュール１００の押上部１２８の傾斜面１２９が、プリントヘッド６０の被押上面７５Ａを押し上げて、支持フレーム７２が退避位置から正対位置に向けて揺動する。このとき、プリントヘッド６０及び位置決部材８０は、支持フレーム７２に対する位置が変化しないまま、支持フレーム７２と一体に揺動する。
【０１０５】
さらに、感光体モジュール１００が装着方向（リアフレーム１５側）へ移動すると、図５に示されるように、感光体モジュール１００の軸方向一端側（図５における右端側）では、感光体モジュール１００の傾斜面１５６が、プリントヘッド６０の傾斜面６８Ｂに当たって、プリントヘッド６０の長手方向一端側（図５における右端側）を支持フレーム７２に対して徐々に下方へ押し下げる。また、感光体モジュール１００の軸方向他端側（図５における左端側）においても、感光体モジュール１００の傾斜面１６６が、プリントヘッド６０の傾斜面６８Ｄに当たって、プリントヘッド６０の長手方向他端側（図５における左端側）を支持フレーム７２に対して徐々に下方へ押し下げる。このとき、プリントヘッド６０の下方への移動に追従して、位置決部材８０も支持フレーム７２に対して下方へ揺動する。
【０１０６】
さらに、感光体モジュール１００が装着方向（リアフレーム１５側）へ移動すると、図６に示されるように、感光体モジュール１００の軸方向一端側（図６における右端側）では、感光体モジュール１００の基準面１５４がプリントヘッド６０の突当面６８Ａに当たる。また、感光体モジュール１００の軸方向他端側（図６における左端側）では、感光体モジュール１００の基準面１６４がプリントヘッド６０の突当面６８Ｃに当たる。これにより、プリントヘッド６０がＺ方向に位置決めされる。
【０１０７】
なお、画像形成装置本体１１に装着された状態の感光体モジュール１００が、画像形成装置本体１１から取り外される際には、上記の動作と逆順にて動作される。
【０１０８】
以上のように、本実施形態では、プリントヘッド６０の下方への移動に追従して（伴って）、位置決部材８０も下方へ揺動するので、プリントヘッド６０と位置決部材８０との間に摩擦が生じにくく、位置決部材８０がプリントヘッド６０の下方への移動を妨げにくい。なお、感光体モジュール１００が画像形成装置本体１１から取り外される場合には、プリントヘッド６０の上方への移動に追従して（伴って）、位置決部材８０も上方へ揺動する。このため、位置決部材８０がプリントヘッド６０の上方への移動を妨げにくい。
【０１０９】
特に、本実施形態では、保持バネ７４で、プリントヘッド６０の側壁６８Ｅと対向壁８６とが挟まれているので、保持バネ７４を有さない場合に比べ、位置決部材８０がプリントヘッド６０の上下動に追従し、プリントヘッド６０と位置決部材８０とがＺ方向に相対移動しにくいため、プリントヘッド６０と位置決部材８０との間に摩擦が生じにくく、位置決部材８０がプリントヘッド６０の上下動を妨げにくい。
【０１１０】
さらに、本実施形態では、コイルバネ７６によって、位置決部材８０の接触部８４がプリントヘッド６０に付勢される。このため、位置決部材８０がプリントヘッド６０の上下動に追従し、プリントヘッド６０と位置決部材８０とがＺ方向に相対移動しにくいため、プリントヘッド６０と位置決部材８０との間に摩擦が生じにくく、位置決部材８０がプリントヘッド６０の上下動を妨げにくい。
【０１１１】
また、本実施形態では、コイルバネ７６が、位置決部材８０の接触部８４を介して、プリントヘッド６０を上方へ付勢するので、プリントヘッド６０を上方へ付勢する付勢部材と、位置決部材８０をプリントヘッド６０へ付勢する付勢部材と、を別々に有する場合に比べ、部品点数が低減される。
【０１１２】
また、本実施形態では、位置決部材８０に、接触部８４が形成されているので、接触部８４を位置決部材８０と別部材で設ける場合に比べ、部品点数が低減される。
【０１１３】
また、本実施形態では、位置決部材８０が下方位置に位置する状態において、軸部９４（揺動軸）と位置決部８２との高さが同じになるように、位置決部８２の高さ（位置）が設定されている。このため、当該高さが異なる場合に比べ、位置決部８２がプリントヘッド６０に対して位置決部材８０の揺動方向に沿って位置ずれした場合でも、位置決部８２によってＸ方向（主走査方向）に位置決めされるプリントヘッド６０のＸ方向への位置ずれが低減される。すなわち、図１４に示されるように、位置決部８２の高さが軸部９４（揺動軸）と同じ高さＨ２に設定されている場合では、位置決部８２が高さＨ１、Ｈ３にプリントヘッド６０に対して位置ずれした場合に、Ｘ方向への位置ずれ長は、Ｌ１となる。これに対して、位置決部８２の高さが軸部９４（揺動軸）と異なる高さであるＨ３に設定されている場合では、位置決部８２が高さＨ２、Ｈ４にプリントヘッド６０に対して位置ずれした場合には、Ｘ方向への位置ずれ長は、Ｌ１よりも長いＬ２となる。なお、高さＨ１〜Ｈ４は、Ｚ方向に等間隔に配置された高さを示している。
【０１１４】
また、本実施形態では、位置決部８２がＹ方向視にて円弧状に形成されているので、位置決部８２が円弧状でない場合に比べ、プリントヘッド６０の上下動に伴ってプリントヘッド６０と位置決部８２とが接触する向きが変更された場合でも、当該接触する向きがスムーズに変更される。
【０１１５】
以上のように、本実施形態では、位置決部材８０がプリントヘッド６０の上下動を妨げにくいので、プリントヘッド６０におけるＺ方向の位置決め精度が向上し、感光体３２とプリントヘッド６０との距離が適正な距離となるので、当該距離が適正距離とならないことに起因する画像不良が抑制される。
【０１１６】
（変形例）
上記実施形態では、支持フレーム７２が揺動するようになっていたが、支持フレーム７２は揺動されず画像形成装置本体１１に対して固定される構成であってもよい。この場合、感光体モジュール１００に設けられた押上部１２８は不要となる。
【０１１７】
また、上記実施形態では、位置決部材８０に接触部８４が形成されていたが、位置決部材８０とは別部材として、接触部８４が設けられる構成であってもよい。
【０１１８】
また、上記実施形態では、位置決部材８０が下方位置に位置する状態において、軸部９４（揺動軸）と位置決部８２との高さが同じになるように、位置決部８２の高さ（位置）が設定されていたが、当該高さが異なる構成であってもよい。
【０１１９】
また、上記実施形態では、位置決部８２がＹ方向視にて円弧状に形成されていたが、これに限られず、位置決部８２がＹ方向視にて、例えば、尖った形状であってもよい。また、位置決部８２は、プリントヘッド６０に対して面接触であってもよく、Ｙ方向に沿った線接触であってもよい。
【０１２０】
本発明は、上記の実施形態に限るものではなく、種々の変形、変更、改良が可能である。例えば、上記に示した変形例は、適宜、複数を組み合わせて構成しても良い。
【符号の説明】
【０１２１】
１０   画像形成装置
３２   感光体（像保持体の一例）
５９   露光装置（光照射装置の一例）
６０   プリントヘッド（照射部の一例）
７２   支持フレーム（支持部の一例）
７４   保持バネ（保持部の一例）
７６   コイルバネ（付勢部材の一例）
８０   位置決部材（位置決め部材の一例）
８２   位置決部（接触部位の一例）
８４   接触部
１５４ 基準面（照射方向位置決め部の一例）
１６４ 基準面（照射方向位置決め部の一例）
【図１】
0006052072.tif 000002
【図２】
0006052072.tif 000003
【図７】
0006052072.tif 000004
【図８】
0006052072.tif 000005
【図９】
0006052072.tif 000006
【図１０】
0006052072.tif 000007
【図１１】
0006052072.tif 000008
【図１２】
0006052072.tif 000009
【図１３】
0006052072.tif 000010
【図１４】
0006052072.tif 000011
【図３】
0006052072.tif 000012
【図４】
0006052072.tif 000013
【図５】
0006052072.tif 000014
【図６】
0006052072.tif 000015